(57)【要約】  【課題】  プリント基板の導電部に対する端子接触部の接触を確実に保持して両者の電気的導通状態を良好に保つことを目的とする。  【解決手段】  外部充電器から電力を取り入れるための充電端子３０は、内部プリント基板２３上の導電部２４と接触する接触部が、接触導通部３４と弾性付与部３３とで構成される。締め付けネジ２９にて充電端子３０とプリント基板２３を共締めしていくと、弾性付与部３３は、その先端に上カバー２２が当接して上カバー２２から荷重を受け、プリント基板２３側へ近づくように弾性変形する。この弾性変形によって接触導通部３４がプリント基板２３の導電部２４に押しつけられる。そのため、プリント基板２３の導電部２４と上カバー２２との間の間隔が必要以上に広がっても、弾性付与部３３の付勢力によって接触導通部３４が導電部２４に付勢され、両者の電気的導通状態が良好に保たれる。【選択図】図４
2007273375.tif 000002
【特許請求の範囲】
【請求項１】
外部と電気的導通をとるための導電部が形成されたプリント基板と、
一端が前記プリント基板上の前記導電部に接触する接触部として形成され、他端が外部と電気的に接続される接続端子と、
前記接続端子の前記接触部と共に前記プリント基板における少なくとも前記導電部全体を覆うことにより、前記導電部との間で前記接触部を挟持するカバー部材と、
を備え、
前記プリント基板と前記カバー部材との間には、前記接触部を前記導電部側へ付勢しつつ該導電部へ接触させる弾性部材が設けられている
ことを特徴とする接続端子の取付構造。
【請求項２】
請求項１記載の接続端子の取付構造であって、
前記プリント基板が配置されるケース部材を備え、
前記ケース部材には、該ケース部材に対して前記カバー部材を螺子にて固定するための螺子固定孔が形成され、
前記カバー部材、前記接触部、及び前記プリント基板における前記導電部が形成された領域には、それぞれ、前記螺子を貫通させるための貫通孔が形成されており、
前記螺子が前記カバー部材の外側から前記各貫通孔を貫通して前記螺子固定孔に螺入されることにより、前記接触部と前記導電部が共締めされる
ことを特徴とする接続端子の取付構造。
【請求項３】
請求項１又は２記載の接続端子の取付構造であって、
前記弾性部材は、前記接触部の一部又は全部が当該弾性部材としても機能するよう、前記接触部と一体的に形成されている
ことを特徴とする接続端子の取付構造。
【請求項４】
請求項３記載の接続端子の取付構造であって、
前記接触部は、
前記プリント基板の板面と平行に配置されて前記導電部と接触する接触機能部と、
前記接触機能部から前記カバー部材側へ屈曲するように延設された、前記弾性部材として機能する付勢機能部と、
を有し、
前記付勢機能部の先端側が前記カバー部材によって前記プリント基板側へ押圧されることにより、該付勢機能部が前記導電部側へ近づくように弾性変形して、前記接触機能部が前記導電部へ付勢されつつ接触する
ことを特徴とする接続端子の取付構造。
【請求項５】
請求項３記載の接続端子の取付構造であって、
前記接触部は、少なくともその一部が前記カバー部材側へ凸起した凸起部を有し、前記凸起部が前記弾性部材として機能する
ことを特徴とする接続端子の取付構造。
【請求項６】
請求項２記載の接続端子の取付構造であって、
前記接触部は、貫通される前記螺子の周囲を囲むように自身の先端に向けて略中空円形状に延設されると共に、該先端に向けて前記プリント基板の板面からの距離が離れていくように形成されることにより、前記弾性部材としても機能するよう構成されており、
前記略中空円形状の接触部における中空部分が前記貫通孔として機能する
ことを特徴とする接続端子の取付構造。
【請求項７】
請求項１又は２記載の接続端子の取付構造であって、
前記弾性部材は、前記接続端子とは別に、該接続端子と前記カバー部材との間に設けられ、前記接触部を前記導電部側へ付勢する
ことを特徴とする接続端子の取付構造。
【請求項８】
請求項２記載の接続端子の取付構造であって、
前記弾性部材は、前記接続端子とは別に、前記接触部と前記カバー部材との間に配置され、前記螺子が貫通する貫通孔を有し、該螺子によって前記接触部と共に共締めされる
ことを特徴とする接続端子の取付構造。
【請求項９】
無線により外部の通信機器と通信可能な携帯通信端末であって、
請求項１〜８いずれかに記載の接続端子の取付構造を備え、前記接続端子を介して外部の電気機器と電気的に接続可能に構成されている
ことを特徴とする携帯通信端末。
【請求項１０】
請求項９記載の携帯通信端末であって、
当該携帯通信端末の動作用電源としての二次電池を備え、
前記二次電池を充電するための電力は、前記電気機器としての充電機器から、前記接続端子及び前記導電部を介して前記二次電池側へ供給される
ことを特徴とする携帯通信端末。
【発明の詳細な説明】
【技術分野】
【０００１】
本発明は、一端がプリント基板上の導電部に接触して電気的に導通すると共に他端が外部と電気的に接続される接続端子の取付構造と、その取付構造を用いて接続端子が取り付けられた携帯通信端末に関する。
【背景技術】
【０００２】
従来より、充電可能なバッテリ（二次電池）を内部に備えた携帯通信端末として、例えばファクシミリ装置や電話装置において親機との間で無線により音声信号等の送受信を行うコードレス子機が知られている。
【０００３】
一般的なコードレス子機は、充電用の端子（充電端子）を備えており、充電器へ載置すると、充電端子は充電器に設けられた充電電力供給用の端子と接触する。これにより、充電器からコードレス子機へ電力が供給され、バッテリが充電される。
【０００４】
コードレス子機における充電端子の取付構造としては、コードレス子機内部のプリント基板上の導電部に、金属平面でできた充電端子の一端（接触部）を置き、それをコードレス子機本体の上カバーと下カバーで挟んでネジにより共締めする構造が知られている（例えば、特許文献１参照。）。
【０００５】
このように構成された従来の充電端子の取付構造について、図１０及び図１１を用いて具体的に説明する。図１０は、コードレス子機の構造を示す図であり、（ａ）は背面図、（ｂ）は（ａ）のＡ−Ａ断面図である。また、図１１は、コードレス子機に取り付けられる充電端子の構造を説明する図であり、（ａ）は斜視図、（ｂ）は平面図、（ｃ）は側面図である。
【０００６】
図１０に示す如く、コードレス子機１１０は、その下端面における左右二箇所に充電端子１００が取り付けられている。各充電端子１００は、図１１に示す如く、コードレス子機１１０の下端面から外部に露出して充電器側の端子と接触する外部接続部１０１と、コードレス子機１１０の内部においてプリント基板１１５（図１０（ｂ）参照）上に形成された導電部１１３と接触する接触部１０２とを有する。
【０００７】
そして、充電端子１００の接触部１０２とプリント基板１１５上の導電部１１３との接触は、導電部１１３の上に接触部１０２（詳しくはその下面）を面接触するように配置し、それをコードレス子機１１０本体の上カバー１１１と下カバー１１２との間で挟んでネジ締めすることにより実現している。
【０００８】
即ち、コードレス子機１１０の上カバー１１１の下端側における充電端子１００の取付位置に対応する位置には、それぞれ、上カバー共締め孔１１１ａ，１１１ｂが形成され、充電端子１００の接触部１０２には図１１に示すように端子共締め孔１０３が形成され、プリント基板１１５における導電部１１３が形成されている領域にも基板共締め孔（図示略）が形成され、コードレス子機１１０の下カバー１１２には二つのボス１１２ａ，１１２ｂが形成されている。そして、上カバー１１１の外側から各上カバー共締め孔１１１ａ，１１１ｂへ挿入した各締め付けネジ１３０が、充電端子１００の端子共締め孔１０３、プリント基板１１５の基板共締め孔を貫通してボス１１２ａ（１１２ｂ）にネジ締めされる。これにより、二つの充電端子１００の接触部１０２はそれぞれ、締め付けネジ１３０によってプリント基板１１５と共締めされ、プリント基板１１５上の導電部１１３と面接触する。
【特許文献１】特開２０００−３３２８６９号公報
【発明の開示】
【発明が解決しようとする課題】
【０００９】
上記のような充電端子の取付構造において、充電端子１００の接触部１０２とプリント基板１１５上の導電部１１３とを確実に面接触させるためには、両者が上カバー１１１と下カバー１１２のボス１１２ａ（１１２ｂ）との間にしっかり挟み込まれ、且つ、導電部１１３と上カバー１１１との間における接触部１０２が配置される空間の隙間が、接触部１０２の厚さより大きくならない（つまり導電部１１３と接触部１０２との隙間および接触部１０２と上カバー１１１との隙間がゼロとなる）ようにすることが必要である。
【００１０】
ところが、設計上は充電端子１００の接触部１０２がプリント基板１１５上の導電部１１３と上カバー１１１との間に隙間なく配置されるようにされていても、実際には、各カバー１１１，１１２の公差、プリント基板１１５の公差、充電端子１００の公差、締め付けネジ１３０の緩み、コードレス子機１１０本体への外荷重、周囲環境（温度等）の変化などの種々の要因で、隙間なく確実に挟み込むのは困難である。
【００１１】
そのため、従来のコードレス子機１１０においては、上述した各種要因によってプリント基板１１５上の導電部１１３と充電端子１００の接触部１０２との間に隙間ｈ０（図１０（ｂ）参照）が生じて両者が接触不良状態となり、コードレス子機１１０内のバッテリへの充電が十分に行われなくなるおそれがあった。
【００１２】
なお、上記特許文献１では、充電端子の横ずれを防ぐために、子機パネルに形成されたツメ部を充電端子の貫通孔に貫通させて位置決めを行う技術が記載されているが、この技術では、上述した隙間発生による接触不良を防ぐことまではできない。
本発明は上記課題に鑑みなされたものであり、プリント基板の導電部に対する端子接触部の接触を確実に保持して両者の電気的導通状態を良好に保つことを目的とする。
【課題を解決するための手段】
【００１３】
上記課題を解決するためになされた請求項１記載の接続端子の取付構造は、外部と電気的導通をとるための導電部が形成されたプリント基板と、一端がプリント基板上の導電部に接触する接触部として形成され、他端が外部と電気的に接続される接続端子と、この接続端子の接触部と共にプリント基板における少なくとも導電部全体を覆うことにより、導電部との間で接触部を挟持するカバー部材とを備える。そして、プリント基板とカバー部材との間には、接触部を導電部側へ付勢しつつ該導電部へ接触させる弾性部材が設けられている。
【００１４】
接続端子の接触部はプリント基板上の導電部とカバー部材との間に狭持されており、設計上は接触部が導電部に確実に接触するはずであるのだが、上述したような各種要因によってカバー部材と導電部との隙間が広がり、導電部と接触部との接触状態が悪くなるおそれがある。そこで、接触部を導電部側へ付勢する弾性部材を設け、接触部を導電部へ確実に接触させるようにしているのである。
【００１５】
従って、請求項１記載の接続端子の取付構造によれば、プリント基板の導電部とそれを覆うカバー部材との間の間隔が必要以上に広がっても、弾性部材の付勢力によって接触部が導電部に付勢されるため、導電部に対する端子接触部の接触を確実に保持して両者の電気的導通状態を良好に保つことが可能となる。
【００１６】
接続端子の接触部とプリント基板上の導電部との接触をより確実なものとするためには、例えば請求項２記載のように、両者を螺子にて共締めするのが好ましい。即ち、請求項
２記載の発明は、請求項１記載の接続端子の取付構造であって、プリント基板が配置されるケース部材を備え、このケース部材には、該ケース部材に対してカバー部材を螺子にて固定するための螺子固定孔が形成され、カバー部材、接触部、及びプリント基板における導電部が形成された領域には、それぞれ、上記螺子を貫通させるための貫通孔が形成されている。そして、上記螺子がカバー部材の外側から各貫通孔を貫通して螺子固定孔に螺入されることにより、接触部と前記導電部が共締めされる。
【００１７】
このように、貫通孔が形成された接触部と導電部とが螺子によって共締めされることにより、両者の相対的位置ずれを防止し、両者の電気的導通状態をより良好に保つことができる。加えて、螺子による共締めのため、接続端子を取り付ける際の作業性や取付後の安定性も良好なものとなる。
【００１８】
ここで、弾性部材の具体的構成は種々考えられるが、例えば請求項３記載のように、弾性部材を、接触部の一部又は全部が当該弾性部材としても機能するよう、接触部と一体的に形成するようにすることができる。
【００１９】
上記構成の接続端子の取付構造によれば、接続端子以外の独立した部材として別途弾性部材を設ける必要がないため、接触部を導電部へ付勢する機能を、部品点数を増やすことなく備えることが可能となる。
【００２０】
この場合、より具体的には、例えば請求項４或いは請求項５記載のように構成することができる。まず請求項４記載の接続端子の取付構造は、接触部が、接触機能部と付勢機能部を有する構造となっている。このうち接触機能部は、プリント基板の板面と平行に配置されて導電部と接触する。付勢機能部は、接触機能部からカバー部材側へ屈曲するように延設され、弾性部材として機能する。そして、付勢機能部の先端側がカバー部材によってプリント基板側へ押圧されることにより、該付勢機能部が導電部側へ近づくように弾性変形して、接触機能部が導電部へ付勢されつつ接触する。
【００２１】
一方、請求項５記載の接続端子の取付構造は、接触部が、少なくともその一部がカバー部材側へ凸起した凸起部を有し、この凸起部が弾性部材として機能するよう構成されたものである。
【００２２】
前者（請求項４）の構成では、接触部をカバー部材と導電部との間で狭持した取付完了状態のとき、設計通りであれば、屈曲した部分（付勢機能部）はカバー部材により押圧されて弾性変形し、接触機能部と同一平面となる。そして、仮にカバー部材と導電部との間の隙間が必要以上に広がってしまっても、付勢機能部の形状が元の屈曲した状態へ戻りつつ、この付勢機能部によって接触機能部が導電部へ確実に押しつけられる。そのため、接触部をプリント基板上の導電部へ確実に接触させ、両者の電気的導通状態を良好に保つことができる。
【００２３】
後者（請求項５）の構成では、接触部をカバー部材と導電部との間で狭持した取付完了状態のとき、設計通りであれば、凸起部がカバー部材により押圧され、弾性変形して、その先端部がプリント基板の導電部側へ近接した状態となる。そして、仮にカバー部材と導電部との間の隙間が必要以上に広がってしまっても、凸起部の形状が元の凸起した状態へ戻りつつ、凸起部の付勢力によって接触部が導電部へ確実に押しつけられる。そのため、この構成によっても、接触部をプリント基板上の導電部へ確実に接触させ、両者の電気的導通状態を良好に保つことができる。
【００２４】
弾性部材は、上述した請求項３〜５いずれかに記載の構成以外に、例えば請求項６記載のように構成することもできる。即ち、請求項６記載の発明は、請求項２記載の接続端子
の取付構造であって、接触部は、貫通される螺子の周囲を囲むように自身の先端に向けて略中空円形状に延設されると共に、該先端に向けてプリント基板の板面からの距離が離れていくように形成されることにより、弾性部材としても機能するよう構成されている。そして、略中空円形状の接触部における中空部分が、貫通孔として機能する。
【００２５】
上記構成の接続端子の取付構造によれば、螺子の周囲を囲むように形成された接触部の付勢力によって接触部が導電部へ十分に付勢されるため、両者の電気的導通状態を良好に保つことができる。
【００２６】
また、弾性部材は、例えば請求項７又は請求項８記載のように、接続端子とは別の独立した部材として構成することもできる。
即ち、請求項７記載の発明は、請求項１又は２記載の接続端子の取付構造であって、弾性部材は、接続端子とは別に、該接続端子とカバー部材との間に設けられ、接触部を導電部側へ付勢する。
【００２７】
請求項８記載の発明は、請求項２記載の接続端子の取付構造であって、弾性部材は、接続端子とは別に、接触部とカバー部材との間に配置され、螺子が貫通する貫通孔を有し、該螺子によって接触部と共に共締めされる。このような弾性部材としては、例えば、既存のスプリングワッシャやウェーブワッシャ等が挙げられる。
【００２８】
上記いずれにおいても、弾性部材を接続端子とは別に単独の部材として設けるため、部品点数は増えるが、接続端子自体は従来と同じ形状のものでもよい。つまり、従来の接続端子の取付構造に対して、別途、弾性部材を設けるだけでよい。そのため、接続端子の形成が容易（従来と同等）となる。
【００２９】
そして、上述した各請求項１〜８いずれかに記載の接続端子の取付構造は、例えば請求項９記載のように、無線により外部の通信機器と通信可能な携帯通信端末において、接続端子を介して外部の電気機器と電気的に接続可能となるように具備されたものであるとよい。携帯通信端末に上記構成の接続端子の取付構造を用いることで、外部の電気機器と携帯通信端末内部のプリント基板上の導電部との電気的導通状態を良好に保つことが可能となる。
【００３０】
そして更に、例えば請求項１０記載のように、携帯通信端末が自身の動作用電源としての二次電池を備えたものであって、この二次電池を充電するための電力が、外部の電気機器としての充電機器から、接続端子及び導電部を介して二次電池側へ供給されるよう構成されたものであれば、外部の充電機器から二次電池側への電力供給を確実に行うことが可能となる。
【発明を実施するための最良の形態】
【００３１】
以下に、本発明の好適な実施形態を図面に基づいて説明する。
［第１実施形態］
（１）ファクシミリ装置全体の構成
図１は、本発明が適用された第１実施形態のファクシミリ装置１の概略構成を示す斜視図である。図１に示す如く、本実施形態のファクシミリ装置１は、親機１０とコードレス子機２０を備えた一般的構成のものである。
【００３２】
親機１０は、本発明の外部の通信機器に相当するものであり、図示しない電話回線を介して接続される相手先装置との間で音声通話やファクシミリの送受信などを行うための通
信装置である。この親機１０は、相手先の電話番号やＦＡＸ番号、各種コマンド等を入力するための複数のテンキーや四方向キーなどの各種キーを有する操作パネル１２、入力した各種番号やコマンド、或いは当該ファクシミリ装置１の動作状態などの各種情報が表示されるディスプレイ１３、図示しない受話器が載置される受話器台１４、コードレス子機２０との間で無線通信を行うためのアンテナ１５などを備える。
【００３３】
この親機１０は、受話器台１４に載置される受話器を用いた電話（音声通話）機能を有する他、ファクシミリ装置としての基本的な機能である、原稿読み取り機能及び画像記録機能を備えている。
【００３４】
コードレス子機２０は、親機１０及び電話回線を介して外部と音声通話をするための、ハンドセットの形状をした周知の携帯端末であり、その機能及び外形は、図１０に示したコードレス子機１１０と全く同じである。このコードレス子機２０は、図１に示す如く、トーン信号や通話相手の音声などが出力される受話部１６、相手先の電話番号や各種機能に関連する情報等が表示される表示パネル１７、相手側の電話番号を入力する等の各種操作をするための操作ボタン１８などを備えている。
【００３５】
そして、親機１０は外部電源（ＡＣ１００Ｖ電源）の供給を受けて動作するのに対し、コードレス子機２０は、二次電池としてのバッテリ３９（図１では不図示。図２参照。）から電源供給を受けて動作する。そのため、バッテリ３９を充電する際は、図示のように充電器２５にコードレス子機２０を載置して充電を行う。つまり、コードレス子機２０がこの充電器２５に載置されているときに、この充電器２５から電力の供給を受けてバッテリ３９が充電される。
【００３６】
（２）コードレス子機の構成
コードレス子機２０のより具体的な構成を、図２に基づいて説明する。図２に示す如く、コードレス子機２０は、プリント基板２３や既述の表示パネル、操作ボタン１８等が所定位置に取り付けられた下カバー２１（本発明のケース部材に相当）に、上カバー２２（本発明のカバー部材に相当）が嵌め込まれてなるものである。バッテリ３９は、上カバー２２に設けられたバッテリ収納部４０に収容され、バッテリカバー３８で覆われる。
【００３７】
プリント基板２３は、コードレス子機２０における各種機能を実現するための回路基板であり、プリント回路が形成されると共に各種電子部品等が実装されている。そして、プリント基板２３の端部（コードレス子機２０の下端側）の二箇所には、外部の充電器２５からの電力をバッテリ３９側へ供給するための導電部２４がそれぞれ形成されている。
【００３８】
コードレス子機２０の下端には、外部の充電器２５とプリント基板２３上の各導電部２４，２４との導通をはかるための金属製の充電端子３０（本発明の接続端子に相当）が、各導電部２４，２４に対してそれぞれ一つずつ設けられている。
【００３９】
（３）充電端子の構成
充電端子３０の具体的構造を図３に基づいて説明する。図３は、充電端子３０の構造を説明する図であり、（ａ）は斜視図、（ｂ）は平面図、（ｃ）は側面図である。本図に示す如く、充電端子３０は、コードレス子機２０内部においてプリント基板２３上の導電部２４に接触する接触部３１と、外部の充電器２５が備える電力供給用の端子（図示略）に接触する外部接続部３２とを有する。
【００４０】
接触部３１には、充電端子３０をプリント基板２３と共にコードレス子機２０へ共締めするための締め付けネジ２９（詳細は後述）が貫通する端子共締め孔３５が形成されている。さらに、接触部３１は、プリント基板２３の板面と平行に配置されてその導電部２４
と面接触する接触導通部３４（本発明の接触機能部に相当）と、この接触導通部３４の先端側から、上カバー２２側へ角度αだけ屈曲して延設された弾性付与部３３（本発明の付勢機能部に相当）とを有する。これは言い換えれば、図１１に示した従来の充電端子１００の接触部１０２を、その中央部において図３のように屈曲させただけの形状である。
【００４１】
（４）コードレス子機における充電端子の取付構造
一方、コードレス子機２０の下カバー２１の下端部には、充電端子３０を取り付けるための二つの端子取付凹部４１，４２が形成され、上カバー２２の下端部にも、同様に二つの端子取付凹部４４，４５が形成されている。そのため、下カバー２１の各端子取付凹部４１，４２に充電端子３０の外部接続部３２が配置されるように各充電端子３０を取り付けて、上カバー２２を嵌め込むと、各充電端子３０のうち外部接続部３２がコードレス子機２０の外部へ露出した状態となる。このような構成により、コードレス子機２０を充電器２５に載置すると、各充電端子３０は、充電器２５が備える二つの電力供給用の端子にそれぞれ接触する。そして、充電器２５からのからの電力は、各充電端子３０と、これに接触するプリント基板２３上の各導電部２４，２４とを介して、バッテリ３９側へ供給される。
【００４２】
充電端子３０の取り付けは、より具体的には、締め付けネジ２９によるプリント基板２３との共締めによりなされる。即ち、図２に示すように、コードレス子機２０の上カバー２２の下端における各充電端子３０の端子共締め孔３５に対応する位置には、それぞれ、上カバー共締め孔２２ａ，２２ｂが形成されている。また、プリント基板２３における各導電部２４，２４が形成された領域にもそれぞれ、基板共締め孔２３ａが形成されている（図２では図示略。後述の図４参照。）。更に、下カバー２１における各充電端子の端子共締め孔３５に対応する位置には、それぞれ、締め付けネジ２９用のネジ穴２７ａ（本発明の螺子固定孔に相当）が形成されたボス２７が形成されている（図２では図示略。後述の図４参照。）。なお、上記各共締め孔３５，２２ａ，２２ｂ，２３ａはいずれも、本発明の貫通孔に相当するものである。
【００４３】
そのため、図２および図４に示すように、上カバー２２の各上カバー共締め孔２２ａ，２２ｂにそれぞれ締め付けネジ２９を挿入すると共に、この締め付けネジ２９を充電端子３０の端子共締め孔３５およびプリント基板２３の基板共締め孔２３ａに貫通させて下カバー２１のボス２７に螺入させると、コードレス子機２０に対し、充電端子の接触部３１とプリント基板２３の導電部２４が共締めされることとなる。
【００４４】
その際、図４に示すように、締め付けネジ２９をボス２７のネジ穴２７ａを螺入していくと、上カバー２２が、充電端子３０の接触部３１における弾性付与部３３の先端側に接触する。そのまま締め付けネジ２９にて締め付けていくと、弾性付与部３３は上カバー２２からの荷重を受けて、その先端がプリント基板２３側へ近づくように弾性変形する。そして最終的には（締め付けが完了したら）、弾性付与部３３は接触導通部３４と同一平面化するまでに弾性変形され、接触部３１のほぼ全体がプリント基板２３の導電部２４に面接触する。
【００４５】
ただしこれは設計上の理想的な状態であり、実際上は、各カバー２１，２２の公差、プリント基板２３の公差、充電端子３０の公差、締め付けネジ２９の緩み、コードレス子機２０本体への外荷重、周囲環境（温度等）の変化などの種々の要因で、上カバー２２と基板導電部２４との間には、接触部３１の厚さ（接触導通部３４の厚さ）よりも大きい隙間が生じてしまうことが多い。
【００４６】
そこで本実施形態のコードレス子機２０では、上記のように接触部３１の一部を弾性変形可能な弾性付与部３３として形成することにより、上カバー２２と基板導電部２４との
隙間が大きくなっても接触導通部３４がプリント基板２３の導電部２４に確実に接触するようにしているのである。
【００４７】
即ち、上記隙間が大きくなると、上カバー２２は接触部３１の接触導通部３４から離れていくが、同時に弾性付与部３３も元の形状（図３（ｃ）のように屈曲した形状）に戻るように変形する。このとき、少なくとも弾性付与部３３が完全に元の形状に戻らない限り（つまり弾性付与部３３が弾性変形している限り）、その付勢力によって接触導通部３４はプリント基板２３の導電部２４に押さえつけられる。
【００４８】
（５）第１実施形態の効果
以上説明したように、本実施形態のコードレス子機２０においては、充電端子３０におけるプリント基板２３の導電部２４と接触する接触部３１が、図３に示すように、接触導通部３４と弾性付与部３３とにより構成されている。そして、充電端子３０がコードレス子機２０に取り付けられた完成状態において、その接触部３１は締め付けネジ２９によってプリント基板２３の導電部２４と共締めされる。このとき、弾性付与部３３は、上カバー２２からの荷重によって弾性変形し、接触導通部３４をプリント基板２３側へ付勢する。
【００４９】
従って、本実施形態のコードレス子機２０によれば、プリント基板２３の導電部２４とそれを覆う上カバー２２との間の間隔が必要以上に広がっても、充電端子３０の弾性付与部３３の付勢力によって接触部３１（特に接触導通部３４）が導電部２４に付勢されるため、導電部２４に対する接触部３１の接触が確実に保持され、両者の電気的導通状態も良好に保たれる。
【００５０】
しかも、接触部３１と導電部２４とが締め付けネジ２９によって共締めされるため、両者の相対的位置ずれが防止され、両者の電気的導通状態がより良好に保たれる。加えて、締め付けネジ２９による共締めのため、充電端子３０を取り付ける際の作業性や取付後の安定性も良好なものとなる。
【００５１】
更に、充電端子３０とは別にこれを付勢する部品を別途設けるのではなく、充電端子３０の接触部３１自体を、弾性付与部３３を有する構成としたため、部品点数を増やすことなく上記効果を得ることができる。
【００５２】
そして、このような構成により、充電器２５からの電力が各充電端子３０およびこれと接触する各導電部２４，２４を介してバッテリ３９へ供給されるため、コードレス子機２０のバッテリ３９の充電を安定して行うことが可能となる。
【００５３】
［第１実施形態の変形例］
上記第１実施形態では、充電端子３０として、図３に示した形状のものを用いたが、これはあくまでも一例であり、プリント基板２３と上カバー２２との隙間が必要以上に広がっても充電端子３０の接触部３１を導電部２４へ付勢して確実に接触させることができる限り、種々の形状のものを用いることができる。具体的には、図５に示した形状の充電端子６０や、図６に示した形状の充電端子５０を用いることができる。
【００５４】
図５に示した充電端子６０は、図３の充電端子３０と同じく、プリント基板２３の導電部２４と接触する接触部６１と、充電器２５の電力供給用端子に接触する外部接続部６２とを有する。接触部６１には、締め付けネジ２９が貫通する端子共締め孔６５が形成されている。
【００５５】
そして、接触部６１は、図示の如く、その中央部が凸起した凸起部６３を有する形状と
なっており、この凸起部６３が上カバー２２側に向かって凸起するよう、コードレス子機２０へ配置される。
【００５６】
この充電端子６０を締め付けネジ２９にてプリント基板２３と共に共締めすると、上カバー２２が、充電端子６０の接触部６１における凸起部６３の先端側に接触する。そのまま締め付けネジ２９にて締め付けていくと、凸起部６３は上カバー２２からの荷重を受けて、その先端がプリント基板２３側へ近づくように押しつぶされる（弾性変形する）。
【００５７】
そのため、仮に上カバー２２と基板導電部２４との隙間が大きくなっても、弾性変形している凸起部６３が元の形状に戻るように変形しつつ、接触部６１全体にプリント基板２３側への付勢力を与える。これにより、少なくとも凸起部６３が完全に元の形状に戻らない限り（つまり凸起部６３が上カバー２２の荷重を受けて弾性変形している限り）、その付勢力によって接触部６１はプリント基板２３の導電部２４に押さえつけられる。
【００５８】
一方、図６に示した充電端子５０は、図３の充電端子３０と同じく、プリント基板２３の導電部２４と接触する接触部５１と、充電器２５の電力供給用端子に接触する外部接続部５２とを有する。
【００５９】
接触部５１は、締め付けネジ２９の周囲を囲むように自身の先端に向けて中空円形状に延設されると共に、先端に向けてプリント基板２３の板面からの距離が離れていくように形成されている。具体的には、プリント基板２３の導電部２４と接触する部分の高さから接触部５１の先端部まで、ｈ１の高さを有する（図６（ｂ）参照）。なお、接触部５１における中空部分である端子共締め孔５５に、締め付けネジ２９が貫通する。
【００６０】
この充電端子５０を締め付けネジ２９にてプリント基板２３と共に共締めすると、上カバー２２が、充電端子５０の接触部５１における先端側に接触する。そのまま締め付けネジ２９にて締め付けていくと、接触部５１は上カバー２２からの荷重を受けて、接触部５１全体がプリント基板２３側へ近づくように弾性変形する。
【００６１】
そのため、仮に上カバー２２と基板導電部２４との隙間が大きくなっても、弾性変形している接触部５１全体が元の形状に戻るように変形しつつ、プリント基板２３側へ付勢される。これにより、少なくとも接触部５１が完全に元の形状に戻らない限り（つまり接触部５１が上カバー２２の荷重を受けて弾性変形している限り）、その付勢力によって接触部５１はプリント基板２３の導電部２４に押さえつけられるため、接触部５１と導電部２４の電気的導通状態を良好に保つことができる。
【００６２】
［第２実施形態］
上記第１実施形態のコードレス子機２０は、充電端子３０とプリント基板２３とを締め付けネジ２９にて共締めするよう構成されていたが、本実施形態では、締め付けネジ２９を用いない例について説明する。
【００６３】
まず、図７に本実施形態の充電端子の構造を示す。図示の如く、本実施形態の充電端子７０は、図３に示した第１実施形態の充電端子３０と同様、プリント基板２３の導電部２４に接触する接触部７１と、充電器２５側に接触する外部接続部７２とを備える。また、接触部７１が、プリント基板２３の板面と平行に配置されてその導電部２４と面接触する接触導通部７４と、この接触導通部７４の先端側から、上カバー２２側へ屈曲して延設された弾性付与部７３とを有する点も、図３の充電端子３０と同様である。そして、本実施形態の充電端子７０が図３の充電端子３０と異なるのは、締め付けネジ２９を貫通させるための端子共締め孔３５を有しない点である。
【００６４】
そして、本実施形態のコードレス子機においては、図８に示すように、下カバー８１に形成された支持台８３上に導電部８７が位置するよう、プリント基板８６が配置され、このプリント基板８６の導電部の上に接触部７１が位置するように充電端子７０が配置される。そして、上カバー８２が下カバー８１に嵌め込まれた完成状態においては、接触部７１の弾性付与部７３が上カバー８２による荷重を受けて弾性変形する。そのため、第１実施形態と全く同じように、接触導通部７４に付勢力が作用して、接触部７１と導電部８７との接触が確実に保持されることとなる。
【００６５】
なお、締め付けネジ２９による共締めを行わない本実施形態においても、図７に示した充電端子７０はあくまでも一例であり、例えば、図５に示した充電端子６０において端子共締め孔６５を有しない構成のものを用いてもよい。要するに、充電端子における接触部の一部又は全部が弾性変形して接触部をプリント基板側へ付勢できる構成のものであれば何でもよい。
【００６６】
［第３実施形態］
上記第１実施形態とその変形例では、充電端子として、接触部の一部又は全てが弾性変形するよう形成されたものを用いたのに対し、本実施形態では、充電端子とは別に弾性変形する部材を設けた例について説明する。
【００６７】
本実施形態のコードレス子機は、図９に示す如く、充電端子としては図１１に示した従来の充電端子１００と同じものを用いる。そして、この充電端子１００とは別に、充電端子１００と上カバー２２との間に、スプリングワッシャ９０を設ける。
【００６８】
このような構成により、上カバー２２とプリント基板２３との間に必要以上の隙間が生じてしまっても、スプリングワッシャ９０の付勢力によって充電端子１００の接触部１０２は全面的にプリント基板２３の導電部２４と接触する。そのため、第１実施形態と比べて部品点数は増えるものの、充電端子自体は従来と同じものをそのまま用いることができるため、スプリングワッシャ９０を追設するだけの簡単な構成で、接触部１０２と導電部２４の接触を確実に保持することができる。
【００６９】
なお、本実施形態ではスプリングワッシャ９０を用いて接触部１０２を付勢するようにしたが、スプリングワッシャ９０以外にも、例えばウェーブワッシャを用いてもよい。要するに、充電端子１００と上カバー２２との間において、充電端子１００の接触部１０２をプリント基板２３側へ付勢することができるものであれば何でもよい。
【図面の簡単な説明】
【００７０】
【図１】実施形態のファクシミリ装置の概略構成を示す斜視図である。
【図２】コードレス子機における、上カバーと下カバーとの取り付け構造を説明するための斜視図である。
【図３】第１実施形態の充電端子の構造を説明する図であり、（ａ）は斜視図、（ｂ）は平面図、（ｃ）は側面図である。
【図４】第１実施形態のコードレス子機の内部における、充電端子とプリント基板の接続箇所を表す側面図である。
【図５】第１実施形態の充電端子の変形例を表す図であり、（ａ）は平面図、（ｂ）は側面図である。
【図６】第１実施形態の充電端子の変形例を表す図であり、（ａ）は平面図、（ｂ）は側面図、（ｃ）は正面図である。
【図７】第２実施形態の充電端子の構造を説明する図であり、（ａ）は斜視図、（ｂ）は平面図、（ｃ）は側面図である。
【図８】第２実施形態のコードレス子機の内部における、充電端子とプリント基板の接続箇所を表す側面図である。
【図９】第３実施形態のコードレス子機の内部における、充電端子とプリント基板の接続箇所を表す側面図である。
【図１０】従来のコードレス子機の構造を示す図であり，（ａ）は背面図、（ｂ）は（ａ）のＡ−Ａ断面図である。
【図１１】従来の充電端子の構造を説明する図であり、（ａ）は斜視図、（ｂ）は平面図、（ｃ）は側面図である。
【符号の説明】
【００７１】
１・・・ファクシミリ装置、１０・・・親機、２０，１１０・・・コードレス子機、２１，８１，１１２・・・下カバー、２２，８２，１１１・・・上カバー、２２ａ・・・上カバー共締め孔、２３，８６，１１５・・・プリント基板、２３ａ・・・基板共締め孔、２４，８７，１１３・・・導電部、２５・・・充電器、２７，１１２ａ・・・ボス、２７ａ・・・ネジ穴、２９，１３０・・・締め付けネジ、３０，５０，６０，７０，１００・・・充電端子、３１，５１，６１，７１，１０２・・・接触部、３２，５２，６２，７２，１０１・・・外部接続部、３３，７３・・・弾性付与部、３４，７４・・・接触導通部、３５，５５，６５，１０３・・・端子共締め孔、３９・・・バッテリ、４０・・・バッテリ収納部、６３・・・凸起部、９０・・・スプリングワッシャ
【図１】
2007273375.tif 000003
【図２】
2007273375.tif 000004
【図３】
2007273375.tif 000005
【図４】
2007273375.tif 000006
【図５】
2007273375.tif 000007
【図６】
2007273375.tif 000008
【図７】
2007273375.tif 000009
【図８】
2007273375.tif 000010
【図９】
2007273375.tif 000011
【図１０】
2007273375.tif 000012
【図１１】
2007273375.tif 000013